(57)【特許請求の範囲】
【請求項１】
液透過性の表面シート、液保持性の吸収体、及び防漏シートを備えた吸収性本体の両側縁部の略全長に亘って、その肌当接面側に、前記吸収体の両側の外縁をそれぞれ覆うように左右一対のサイドシートを設けた吸収性物品であって、
前記サイドシートと、前記吸収性本体の前記表面シート、吸収体、及び防漏シートのいずれかとを接合し、長手方向に連続的もしくは間欠的に設けた第１エンボス列及び第２エンボス列を、前記各サイドシートにおいて前記吸収体の外縁の両側にそれぞれ配列し、
前記第１エンボス列によって前記サイドシートと表面シートと吸収体とを接合し、前記第２エンボス列によって前記サイドシートと防漏シートとを接合し、第１エンボス列による接合強度に対し、第２エンボス列による接合強度が強い吸収性物品。
【請求項２】
液透過性の表面シート、液保持性の吸収体、及び防漏シートを備えた吸収性本体の両側縁部の略全長に亘って、その肌当接面側に、前記吸収体の両側の外縁をそれぞれ覆うように左右一対のサイドシートを設けた吸収性物品であって、
前記サイドシートと、前記吸収性本体の前記表面シート、吸収体、及び防漏シートのいずれかとを接合し、長手方向に連続的もしくは間欠的に設けた第１エンボス列及び第２エンボス列を、前記各サイドシートにおいて前記吸収体の外縁の両側にそれぞれ配列し、
前記第１エンボス列によって前記サイドシートと表面シートとを接合し、前記第２エンボス列によって前記サイドシートと防漏シートとを接合し、第１エンボス列による接合強度に対し、第２エンボス列による接合強度が強い吸収性物品。
【請求項３】
前記第１エンボス列及び、前記第２エンボス列はサイドシートの長手方向に間欠的に設けられており、前記第１エンボス及び、前記第２エンボス列は、物品の長手方向に沿って伸びる略Ｓ字形状を有する個々のエンボスが物品の長手方向に沿って整列した形状である請求項１または２記載の吸収性物品。
【請求項４】
前記サイドシートに第３エンボス列を設けた請求項１〜３のいずれか１項に記載の吸収性物品。
【請求項５】
前記第１エンボス列及び第２エンボス列の深さを、前記第３エンボス列より深くした請求項４に記載の吸収性物品。
【請求項６】
前記第１エンボス列又は第２エンボス列を物品長手方向に直交する方向に投影したとき、その投影像が長手方向に間断なく連続するようにした請求項１〜５のいずれか１項に記載の吸収性物品。
【発明の詳細な説明】
【技術分野】
【０００１】
本発明はサイドシートを備えた吸収性物品に関する。
【背景技術】
【０００２】
生理用ナプキン等の吸収性物品において、シート材を圧縮して賦型したりシート材同士を接合したりする技術としてエンボス加工がある。他方、吸収性物品の構造についてみると、防漏性の裏面シート、液体吸収性及び保持性を有する吸収体、及び液透過性表面シートからなるものが典型であり、そこにサイドシートを設けたものが開発されている。そして、これらの技術を組み合わせた、すなわち上記サイドシートに上述したエンボス加工を施したものがあり、例えば、フラップ部に格子状のエンボスを設けたものや（特許文献１参照）、フラップ基部において表面シートとサイド不織布とを直線的なエンボスにより固着したものがある（特許文献２参照）。しかし、それらのエンボス加工は専らシート材同士の接合のために採用されたものである。付随的作用はあるかもしれないが、物品の機能性を総合的に高めるものとはいえない。
また、サイドシートに花柄エンボスパターンを付したものが開発されている（特許文献３参照）。デザイン性が高く付加価値が高められているが、吸収性物品の機能性の向上に鑑みたとき、さらに開発の余地がある。
【０００３】
【特許文献１】特開２００３−２８４７４１号公報
【特許文献２】特開２００２−２７２７８６号公報
【特許文献３】特開２００５−３１２６９４号公報
【発明の開示】
【発明が解決しようとする課題】
【０００４】
本発明は、サイドシートを備えた吸収性物品において、液体の横漏れ防止性の向上と、物品のヨレ防止性の向上とを両立して実現しうる吸収性物品の提供を目的とする。また、必要に応じて、上記の高機能を維持しつつ、装飾性を付与することができる吸収性物品の提供を目的とする。
【課題を解決するための手段】
【０００５】
本発明は、液透過性の表面シート、液保持性の吸収体、及び防漏シートを備えた吸収性本体の両側縁部の略全長に亘って、その肌当接面側に、前記吸収体の両側の外縁をそれぞれ覆うように左右一対のサイドシートを設けた吸収性物品であって、前記サイドシートと、前記吸収性本体の前記表面シート、吸収体、及び防漏シートのいずれかとを接合し、長手方向に連続的もしくは間欠的に設けた第１エンボス列及び第２エンボス列を、前記各サイドシートにおいて前記吸収体の外縁の両側にそれぞれ配列し、前記第１エンボス列によって前記サイドシートと表面シートと吸収体とを接合し、前記第２エンボス列によって前記サイドシートと防漏シートとを接合し、第１エンボス列による接合強度に対し、第２エンボス列による接合強度が強い吸収性物品により、上記の目的を達成したものである。
本発明は、液透過性の表面シート、液保持性の吸収体、及び防漏シートを備えた吸収性本体の両側縁部の略全長に亘って、その肌当接面側に、前記吸収体の両側の外縁をそれぞれ覆うように左右一対のサイドシートを設けた吸収性物品であって、前記サイドシートと、前記吸収性本体の前記表面シート、吸収体、及び防漏シートのいずれかとを接合し、長手方向に連続的もしくは間欠的に設けた第１エンボス列及び第２エンボス列を、前記各サイドシートにおいて前記吸収体の外縁の両側にそれぞれ配列し、前記第１エンボス列によって前記サイドシートと表面シートとを接合し、前記第２エンボス列によって前記サイドシートと防漏シートとを接合し、第１エンボス列による接合強度に対し、第２エンボス列による接合強度が強い吸収性物品により、上記の目的を達成したものである。
【発明の効果】
【０００６】
本発明の吸収性物品は、液体の横漏れ防止性の向上と、物品のヨレ防止性の向上とを両立して実現することができる。また必要に応じて、その高機能を維持しつつ、装飾的なデザインを施し、物品に情緒性を付与しうるという優れた効果を奏する。
【発明を実施するための最良の形態】
【０００７】
以下、本発明の吸収性物品を、その好ましい実施形態である生理用ナプキンについて図面を参照しながら説明する。
図１は、本発明の吸収性物品の好ましい形態としての生理用ナプキン（本実施形態１）を一部破断して模式的に示す平面図である。本実施形態１の生理用ナプキン１０は、同図に示すように、液透過性の表面シート１、液保持性の吸収体２、及び防漏シート３を備えた吸収性本体４と、該吸収性本体４の肌当接面側の両側縁部それぞれに沿って略全長に亘って設けられた左右一対のサイドシート５とを有する。この一対のサイドシート５は吸収体２の両側の外縁２ａの上部を表面シート１を介して覆うように設けられている。
【０００８】
そしてサイドシート５には、サイドシート５と、吸収性本体４の表面シート１、吸収体２、及び防漏シート３のいずれかの層とを接合して、機能上一体化して吸収性物品の機能性を高める第１エンボス列７及び第２エンボス列８が設けられている（ただし、本発明においてこの機能性エンボス列は２列に限定されず３列以上設けてもよい。）。その２列のエンボス列７及び８は吸収体２の外縁２ａを挟んで、その両側にそれぞれ配列されている。具体的には、物品中央側２ｃにエンボス列７が、外側２ｏにエンボス列８がそれぞれ配設されている。
【０００９】
本実施形態１の生理用ナプキン１０においては、上記の第１エンボス列７及び第２エンボス列８とは別に、サイドシート５に装飾的な第３エンボス列６が設けられている。この第３エンボス列６は、サイドシートにのみ設けられたものであり、他のシート材と接合されていない。したがって、加工における自由度が高くデザイン性の高いエンボス形状とすることができる。例えば、図示したもののように線状エンボス６ａと中抜きエンボス６ｂとを組み合わせて、サイドシートの防漏性やヨレ防止性を高めるだけでなく、物品にかわいらしさや高級感を付与することができる。これにより、上述した第１エンボス列７及び第２エンボス列８による優れた防漏性およびヨレ防止性を維持しつつ、第３エンボス６により情緒性をも付与することができる。
【００１０】
ここで生理用ナプキン１０の断面構造について図２に基づいてさらに詳しく説明する。図２は、図１において示したＩＩ−ＩＩ線の拡大断面図である（ただし、本発明の吸収性物品の構造が本実施形態に限定して解釈されるものではない。）。表面シート１は、吸収体２の上面の全域を被覆しており、吸収体２の両側の外縁２ａから若干延出している。一方、防漏シート３は吸収体２の下面の全域を被覆し、吸収体２の外縁２ａから外方に延出している。そして、表面シート１、吸収体２、及び防漏シート３から実質的に縦長の（Ｙ方向に長さのある）吸収性本体４が形成されている。
【００１１】
吸収性本体４の肌当接面側の両側縁部それぞれには、さらに、左右一対のサイドシート５が、該両側縁部に沿って略全長に亘り、かつ吸収体の外縁２ａの上部全体を覆うように設けられている（図１及び２参照）。このとき図示した形態のように、吸収性本体４において排泄物の集中する長手方向（Ｙ方向）にみて略中央部で、該吸収性本体の両側縁部に、防漏シート３とサイドシート５からなる一対のウイング１１を設けることが好ましい。
【００１２】
また図示したものにおいては、防漏シート３とサイドシート５とを、吸収性本体４の両側縁及びウイング１１の周縁においてサイドシール１２を形成して接合している。また、表面シート１と防漏シート３とは、それぞれ吸収体２の前後端から延出し、その延出部分において接合するようエンドシール１３を形成している。防漏シート３とサイドシート５とは接着剤（図示せず）によって接合することが好ましい。そして、本実施形態１の生理用ナプキン１０は、吸収性本体４の非肌当設面にホットメルト粘着剤（図示せず）を設け、その粘着面を下着に固定して装着することが好ましい。
【００１３】
本実施形態１において、サイドシート５は上層５ｘ及び下層５ｙをなすように物品中央側のシート端が折り返されている（図２参照）。このように折り返すことで、上述した機能性エンボス列の作用を高めることができ好ましい。折り返された上層５ｘと下層５ｙとの間は接着剤により接合することが好ましい。
【００１４】
機能性の第１エンボス列７及び第２エンボス列８についてさらに詳しく説明する。
本実施形態１の生理用ナプキン１０において、第１エンボス列７は、吸収体の外縁２ａより中央側２ｃに配設され、サイドシート５と表面シート１と吸収体２とを接合するように設けられている。第２エンボス列８は、吸収体の外縁２ａより外側２ｏに配設し、サイドシート５と防漏シート３とを接合するように設けられている（図２参照）。上記のエンボスによる連結接合により各層が機能的に一体化されている。
第１エンボス列７もしくは第２エンボス列８は、短い列をいくつか部分的に偏在させて設けてもよいが、図１に示したもののように、サイドシートの長手方向に亘って延びるように設けることが好ましい。具体的にいうと、図示したもののようにエンボス列を複数のエンボスにより形成するときには、個々のエンボスを離しすぎず、後に詳しく述べる液体の横漏れ防止作用や物品のヨレ防止作用が発現する程度に個々のエンボスを近接させて設けることが好ましい。このとき、横漏れ防止作用を一層高める点では、第１エンボス列７及び第２エンボス列８を実質的連続状態にして設けることが好ましい（本発明において、エンボス列の「実質的連続状態」とは、間欠的な状態であっても、連続した線の状態であってもよいが、長手方向に直交する方向（Ｘ方向）にエンボスを投影したときに、その投影像が長手方向（Ｙ方向）にエンボスの作用上実質的に間断なく連続していることを意味する。）。第１エンボス列７及び第２エンボス列８、さらに第３エンボス列６においては、エンボス列の実質的連続状態を、吸収性本体の長手方向（Ｙ方向）の全長の５０％以上に亘って設けることが好ましく、略全長に亘って設けることがより好ましい。
【００１５】
本実施形態１の生理用ナプキン１０において、第１エンボス列７及び第２エンボス列８を設けた部分の繊維は通常圧密化されているため、平面方向で見た場合外側へ拡散する液体を遮断する状態となっている。そのような状態で、特に第１エンボス列７は、サイドシート５、表面シート１、及び吸収体２にいたる深さにまで設けられており、３層にわたって液体遮断機能が付与され、その部分を浸透してくる液体がより確実に堰き止められる。
他方、第２エンボス列８は、吸収性本体のより外側で、とりわけ通常液体をより多く保持している吸収体２の外縁２ａより外側で、しかも外縁２ａと空洞２３を介し間隔を確保した位置に設けられている。さらに樹脂が溶融化された状態で一体化されているため、拡散するための空隙が存在しないため、液体を堰き止める作用は高まる。
そして、本実施形態１の生理用ナプキン１０においては、中央側の第１エンボス列７と外側の第２エンボス列８とが上述したように吸収体の外縁２ａを挟んで両側に設けられており、それによって効果的に液体の横漏れを防止することができる。
【００１６】
また、上述したような複数のシートを接合した、深さのある第１エンボス列７及び第２エンボス列８は、通常その部分においてシートの剛性が高められており変形しにくい。また変形した際にも形態を復元する機能が高まる。このような機能性のエンボス列を、型崩れのしやすい吸収層の外縁２ａを挟んで両側に設け、しかも図示したものにおいては縦長の吸収性物品において、その長手方向のほぼ全長に亘って設けたため（図１参照）、高いヨレ防止性を発揮しうる。
【００１７】
上記の防漏性及びヨレ防止性の向上について、人体に吸収性物品を装着したときの作用機序を考慮し、さらに説明する。
防漏性に関しては、液体の漏れという現象が次のような要因により影響を受けることを考慮する必要がある：（ｉ）吸収体の吸収容量、（ｉｉ）吸収性物品の装着時のズレや動きに起因して変化する排泄部と吸収体との位置関係、（ｉｉｉ）経血等の排泄パターン（例えば多量に一度に排泄される、少量ずつ時間をかけて排出される、一時的に粘度の高い液が排出される等）、さらにこれら３点だけに限らず様々な要因により物品の外側へ液が拡散していく経路が異なってくる。そのような影響を受け液体の漏れる態様は、例えば次のように異なってくる：（ａ）サイドシートをじわじわと拡散して漏れる、（ｂ）吸収体端からサイドシートを貫通して漏れる、（ｃ）サイド不織布とバックシートとの間を伝って物品端から漏れる。実用時には上記のような液漏れ態様が複雑に組み合わされる。
本発明においては、深溝の第１エンボス列７及び第２エンボス列８の組み合わせ相互作用により多様な液漏れ態様に効果的に対応することができる。すなわち、第１エンボス列７及び第２エンボス列８を吸収体２の外縁２ａを挟んで両側に設けるので、吸収体中の液が外側へ漏れ出す経路をとる場合でも、サイドシート部分に存在する液が拡散していく経路をとる場合でも、液を確実に遮断し漏れを防ぐ。
【００１８】
物品のヨレという現象も、上述の液漏れ現象と同様に、複雑な要因が絡み合って生じる。人体の体形や動作、そのときの経血の吸収量などの相異によって、ヨレを生じる態様が異なる。具体的に、図示した生理用ナプキン１０でいうと、ウイング部１１のみがヨレたり、吸収性本体４が長手方向に全体的に折曲がったようにヨレたりする。このような多様なヨレの態様に対しても、上述の深溝の機能性のエンボス列を組み合わせて設けることにより、様々なヨレの原因となる外力に対する抵抗力を付与することができる。その結果、物品のヨレが抑制される。
本発明においては、深溝の第１エンボス列７及び第２エンボス列８の組み合わせ相互作用により多様なヨレ態様に効果的に対応することができる。すなわち、第１エンボス列７及び第２エンボス列８を吸収体２の外縁２ａを挟んで両側に設けるので、第１エンボス列７と第２エンボス列８とを異なる硬さとすることができる。どちらのエンボスをより硬いものとするかは求められる性能やエンボス深さ等に応じて適宜定めればよいが、例えば、第２エンボス列をより硬いものとすることが好ましい。このように第１エンボス列７と第２エンボス列８とを硬さが異なるものとすることで、吸収性物品の変形によってかかる応力が加わった際、弾性変形から塑性変形となる応力の変曲点を２段階にわたって設けることができる。このため、弱い応力に対しても強い応力に対しても、ヨレることなく体に追従する変形が可能となり、装着性に優れた吸収性物品を提供することができ、好ましい。
【００１９】
本実施形態１の生理用ナプキン１０においては、図示したもののようにサイドシートの内側縁５ａの近傍に第１エンボス列７を設けたとき、前記内側縁５ａが適度に立ち上がる。その結果、吸収性本体の中央側に向けて開放した空間２１を保持した防漏壁構造が形成される。これにより、例えば体形の幾分異なる人が装着したときや、運動により物品が多少ずれたようなときにも、上記内側縁５ａの起立状態が適度に変化してフィットし、より信頼性の高い液漏れ防止性を実現しうる。
【００２０】
本実施形態１においてエンボス７ａ及び８ａは、サイドシート５の長手方向に沿う直線を２箇所以上横切る形状、すなわち略Ｓ字形状を有している。このように緩やかな曲線状のエンボスを、間欠的に設けることにより、曲げに対する応力が適度に分散され、エンボス自体が皺になりにくく好ましい。そのためサイドシートの長手方向に曲げ応力が生じにくく、柔らかな曲げ状態でソフトに肌に当接する形態とすることができる。さらに、このような略波線形状のエンボス列は、エンボスが付された以外の部分に皺を分散し、エンボスが付された部分には硬い皺ができにくいため、皺が生じたとしても柔らかく肌触りが良い。また、サイドシート５にはエンボスパターン６が形成されているため、表面シート１においても皺が入りにくくさらに良好な肌触りを実現しうる。そして各エンボス７ａ及び８ａは、その両端部それぞれに向かって徐々に細くなっている。このような形状にすることで、エンボス両端部の細い部分で折れ曲がり、エンボス幅の広い部分が隆起しにくく、柔軟性を高くしうる。
【００２１】
エンボス７ａ及び８ａの平面図の形状は図示したもののほか、略Ｓ字状のエンボスを複数重ね合わせた、例えば端部を３〜５個有するエンボスや、中央部が徐々に細くなるよう形成されたエンボスにしてもよい。そのようにして柔軟性を維持し皺の発生を抑制したり、デザイン的特徴を変化させたり、肌触りや防漏性を良化させたりしてもよい。なお、各エンボス及びそれにより形成される列には直線状の部分があってもよい。またサイドシート５の内側縁５ａに弾性体を配置してそこにギャザーを形成することもできる。
【００２２】
本発明の吸収性物品においては、先にも述べたとおり、装飾的な第３エンボス列６を設けることが好ましい。この第３エンボス列６は主に看者の注目を引き付けるデザイン性のあるものが好ましい。このとき、あわせて機能性を付与することもできる。例えば、第３エンボス列６を前記の機能性の第１エンボス列７及び第２エンボス列８と並列して、サイドシート５の長手方向に亘って実質的連続状態に延びた列をなす。それにより、各エンボス列がその利点を相互に補完し合い、液体の流動を各所で遮断し、高い横漏れ防止機能を発揮しうる。なお、エンボス６ａを略Ｓ字形状にしたときの作用、その両端部それぞれに向かって徐々に細くしたことによる作用については、第１エンボス列７及び第２エンボス列８と同様である。
【００２３】
中抜きエンボス６ｂについていうと、このエンボスは平面図で内側に非エンボス部を有しており、その周囲を凹部とした領域を有するものである。そして中抜きエンボス６ｂを複数集めて、図示したもののように花びら形状のエンボスパターンとすることが好ましい（図１参照）。このような中抜きエンボスが設けられた領域においては、エンボス部分は隆起せず、中抜きされた領域が柔らかく盛り上がるため、柔軟性をさほど低下させることなく、エンボスによる液体の伝搬防止効果を得られる。そして図示したものにおいては、中抜きエンボス６ｂにより花柄パターンをなし、前記略Ｓ字状エンボス６ａを連続して設けた蔓状のエンボスパターンと相俟って、装飾的な美観を与えている。
【００２４】
表面層１としては、生理用ナプキン、パンティライナー、失禁パッド等の吸収性物品に用いられているものを特に制限無く用いることができるが、本実施形態２の生理用ナプキンにおいては第２エンボスの深さを深くする観点から、嵩高な構造をしていることが望ましく、エアスルー不織布などがその例として挙げられる。また、開孔加工や凹凸加工などのシート加工によりシートの見かけ厚みを増す方法を用いるのも良い。
防漏層３としては、生理用ナプキン、パンティライナー、失禁パッド等の吸収性物品に用いられているものを特に制限無く用いることができるが、防漏性のフィルムシートを用いることが好ましい。具体的な材料としては、ポリエチレンなどの熱可塑性樹脂組成物を用いたフィルムシートが挙げられる。
吸収体２の形成材料としては、生理用ナプキン、パンティライナー、失禁パット等の吸収性物品に用いられているものを特に制限無く用いることができるが、繊維集合体又はこれと高分子吸水ポリマーとを併用させたもの等を好ましく用いることができる。繊維集合体を構成する繊維としては、パルプ繊維等の親水性天然繊維や、合成繊維（好ましくは親水化処理を施したもの）等を用いることができる。本実施形態１の生理用ナプキンにおいては、第２エンボスの深さをより深くするという観点から吸収層２は嵩高で繊維集合体の坪量が高いことが望ましいが、著しく高坪量のものはエンボス部位が過度に硬化するため装着性が悪くなることが懸念される。坪量は５０ｇ／ｍ２〜５００ｇ／ｍ２の範囲が好ましい。
吸収体２と防漏層３は通常ホットメルトなどの接着剤におり接合させている場合が多いが、吸収した液によってその接着力が低下し、吸収体２が防漏層３から剥がれて物品中を遊動することを、外縁２ａの両側に深溝の機能性エンボス列を付すことで防ぐ機能もある。
サイドシート５の材料としては、不織布、フィルムシート、紙等が挙げられる。防漏性の観点からは、サイドシートを液不透過性又は難透過性である疎水性不織布、防漏性のフィルムシート等により形成することが好ましい。
上記吸収性本体の各層及びサイドシートは一枚でもよいし、さらに機能性のシート等と組み合わせて２枚以上のものとしてもよい。複数のシートにより各層を構成するとき、機能性の第１エンボス列７及び第２エンボス列８は、そのシートすべてを接合するよう設けてもよく、一部のみを接合するように設けてもよい。例えば、第１エンボス列７はサイドシート５と吸収性本体のいずれかの層とを接合するように設けられるが、サイドシート５を構成する複数のシートの一部と、各層を一体化する形態で設けたものも本発明に含まれる。
【００２５】
エンボスの形成方法は特に限定されず、所望の形状に形成することができれば、部材を高密度化する押込み圧着であっても、部材を接合させる熱融着（ヒートシール）であってもよい。
本実施形態１の生理用ナプキン１０の具体的な作製手順についていうと、例えばサイドシート５をなす長尺部材を準備し、そこにあらかじめ第３エンボス列６を形成しておく。その長尺部材を防漏シート３と組み合わせ両者を接合する第２エンボス列８を設けて複合部材とする。そして、これとは別に、吸収体２及び表面シート１をセットする。このセットと上記複合部材とを組み合わせ必要に応じて接着剤により接着する。次いで、サイドシート５と表面シート１と吸収体２とを接合するように所定の部材を圧密化して第１エンボス列７を形成する。さらにヒートシールによりサイドシール１２及びエンドシール１３を設けることで図示したような生理用ナプキンが得られる。
【００２６】
本発明においては第１エンボス列７及び第２エンボス列８の深さを第３エンボス列６より深くすることが好ましい。本発明においてエンボス列の深さとは、エンボス列の開口部のシート表面からエンボス列に含まれるエンボスのうち最も深いエンボスの底部までの距離をいい、図３に示したエンボス部分の拡大断面図でいうと、第３エンボス列６の深さは６ｄであり、第１エンボス列７の深さは７ｄとなる。本発明においては、この深さの関係を深さ７ｄ＞深さ６ｄとすることが好ましい。図３においては第２エンボス列８について示していないが、エンボス列８の深さ８ｄ（図示せず）＞深さ６ｄとすることが好ましい。
【００２７】
このように第３エンボス列６を浅いものとすることで、先にも述べたとおり、深いものでは加工が難しい複雑な平面図の形状のエンボスとすることができ、それによりデザイン性の高い装飾的なものとすることができる。そして第１エンボス列７及び第２エンボス列８については深くすることで、通常液体の横漏れ防止性及び物品のヨレ防止性が高まる。
さらに、第３エンボス列６が浅くてそれ自体が十分に目立たなくても、第１エンボス列７及び第２エンボス列８が深いため、まずそれが看者の注意を引き、第３エンボス列６の情緒性を惹きたてて印象づけることができる。
また、第１エンボス列７及び第２エンボス列８は深いことにより、それ自体液体の横漏れ性に優れるという印象を与え、機能的な美観を有する。さらにまた、第１エンボス列７及び第２エンボス列８は深く陰影が際立ち、その一方で浅い第３エンボス列６と組み合わされて、硬すぎる印象を与えずに肌にやさしい感じを与える。
【００２８】
本実施形態１の生理用ナプキンにおいては、例えば第１エンボス列７の深さ（最も深い部分の深さ）７ｄを０．５〜１０ｍｍ程度、第２エンボス列８の深さ８ｄを０．２〜４．０ｍｍ程度、とすることが好ましく、装飾エンボス列６の深さ６ｄを０．１〜２．０ｍｍ程度とすることが好ましい。深さ７ｄ（もしくは８ｄ）と深さ６ｄとの差は特に限定されないが、外観において両エンボスにメリハリをつけ印象的にその美観を与える点から、その差を０．５ｍｍ以上とすることが好ましい。
【００２９】
図４は本発明の吸収性物品の別の好ましい形態としての生理用ナプキン（本実施形態２）を模式的に示す平面図である。そして図５は、図４に示すＶ−Ｖ線断面を示す拡大断面図である。
本実施形態２においては、吸収体の外縁２ａより中央側２ｃの第１エンボス列７２がサイドシート５と表面シート１とを接合するように設けられ、外縁２ａより外側２ｏの第２エンボス列８がサイドシート５と防漏シート３とを接合するように設けられている。このように吸収層の外縁２ａを挟んで両側に深さのある第１エンボス列７２及び第２エンボス列８を設けることで、良好な液漏れ防止性と物品のヨレ防止性とを両立して実現しうる。このときの両エンボス列の奏する作用は本実施形態１のものと同様に説明しうる。なお、図示したものにおいては、第３エンボス列６を図示していないが、サイドシートにデザイン性のある第３エンボス列６を設けて、情緒性を付与しうることは本実施形態１と同様である。
【００３０】
本実施形態２における生理用ナプキンの作製手順は特に限定されないが、例えば、必要に応じてサイドシート５に第３エンボス列６を形成し、それを表面シート１と接合した複合シートとする。その複合シートの所定の位置を熱圧着することにより表面シートとサイドシート５とを一体化した第１エンボス列７２を設ける。これを別途防漏シート３と吸収体２とを組み合わせ、第２エンボス列８を設け、必要な部分を接合して生理用ナプキン２０の形態が得られる。
【００３１】
本実施形態２の第１エンボス列７２及び第２エンボス列８並びに任意の第３エンボス列６の長手方向における配列や平面図における形状の特徴及びその利点については、本実施形態１におけるものと同様である。
なお、サイドシートの内側縁５ａは吸収性本体と接合せずに遊動状態にしてもよいが、肌に当接したときのヨレによる違和感があるときには、例えばサイドシート５と表面シート１との界面で接着剤により接合してもよい。
本実施形態２は、吸収体の坪量が十分にあり、吸収体中の液拡散の懸念およびヨレの懸念が比較的小さい場合に好んで用いることができる。第１エンボス列７によって吸収体を圧密化させないので、吸収体を硬くしすぎることがないからである。
【００３２】
図６は吸収性物品の参考例の形態としての生理用ナプキン（本実施形態３）を模式的に示す平面図である。そして図７は、図６に示すＶＩＩ−ＶＩＩ線断面を示す拡大断面図である。
本実施形態３においては、外側の第２エンボス列８３をサイドシート５と表面シート１とを接合するように設けている。そして内側の第１エンボス列７については、サイドシート５と表面シート１と吸収体２とを接合するように設けている。このように吸収体の外縁２ａを挟んで両側にほぼ物品の全長に亘って機能性の第１エンボス列７及び第２エンボス列８３が配されているため、多様な液漏れ態様に対応し液体を効果的に遮断することができる。また、物品のヨレ防止性についても優れた作用効果を発揮する。なお、図示したものについては第３エンボス列６を設けていないが、必要に応じてサイドシート５にのみ同エンボス列を設けてもよい。これにより吸収性物品に情緒性を付与することができる。
【００３３】
本実施形態３における生理用ナプキン３０の作製手順は特に限定されないが、例えば、サイドシート５に必要に応じて第３エンボス列６を形成しておき、それを表面シート１と接合した複合シートとする。その複合シートの所定の位置を熱圧着によりサイドシート５と表面シート１とを一体化して深溝の第２エンボス列８３を設ける。この複合シートを、別途防漏シート３と吸収体２とを組み合わせたものに重ね合わせ、所定の部分に深溝の第１エンボス列７を設けて各層を機能的に一体化することにより生理用ナプキン３０の形態が得られる。
【００３４】
本実施形態３の第１エンボス列７及び第２エンボス列８３並びに任意の第３エンボス列６の長手方向における配列や平面図における形状の特徴及びその利点については、本実施形態１におけるものと同様である。
本実施形態３は、防漏層３の坪量が小さいまたは、透湿性を有しているなど、防漏層の強度が低い場合に好んで用いることができる。本実施形態３は、第２エンボス列８が防漏層と一体化させていないため、エンボスによる防漏層へのダメージがなく、切れや穴あきなどの懸念が全くなくなるからである。
【００３５】
本発明の吸収性物品においては、さらに本実施形態１、２、及び３を適宜に組み合わせた形態としてもよい。例えば、機能性のエンボス列７、８、７２、８３（図２、５、７参照）を適宜に組み合わせた形態としてもよい。なかでも本実施形態１又は２のエンボス列形態が好ましい。エンボス列を集中させすぎて硬い印象を与えてしまうことなく、より高い機能性エンボス列の組み合わせ効果が得られる点で好ましい。
【００３６】
本発明の吸収性物品においては、機能性のエンボス列７、８、７２、８３と装飾性のエンボス列６とを異なる白度とすることが好ましい。そのようにすることで、両エンボスの光の透過性を互いに異なるものとすることができ、凹凸の陰影効果による視認性を高め、先に述べた美感的相互作用を高めることができる。例えば、光の透過性の差を大きくし、透明化したエンボスと白化したエンボスとの組み合わせにより、両者をより印象付けることができる。透明化させる場合には、シート材料の種類にもよるが、サイドシート５を構成する繊維を融点付近もしくはそれ以上に加熱圧縮して、繊維の形状を失わせて透明化させることができる。白化させる場合には、やはりシート材の種類にもよるが、繊維の形状を失わない程度に加熱圧縮するか、芯鞘構造繊維の鞘成分の融点付近に加熱圧縮して、繊維の形状を部分的に維持して白化させて、エンボス部の周囲より白くすることができる。透明化させた場合は、視認性が高いだけでなく、サイドシート同士もしくは表面シートなど他の材料との接合性に優れ、防漏性をより高められる点で好ましい。白化させた場合には、視認性が一層高くなり、包囲エンボスやその集合体が形成する模様を形成することができ、好ましい。
【００３７】
本発明の吸収性物品においては、機能性のエンボス列７、８、７２、８３と装飾性のエンボス列６とを異なる硬さとすることが好ましい。どちらのエンボスをより硬いものとするかは求められる性能やエンボス深さ等に応じて適宜定めればよい。本発明の吸収性物品は、生理用ナプキン以外に、パンティライナー、おりものシート、失禁パッド等にも適用することができる。
【図面の簡単な説明】
【００３８】
【図１】本発明の吸収性物品の好ましい形態としての生理用ナプキンを模式的に示す平面図である。
【図２】図１に示すＩＩ−ＩＩ線断面を示す拡大断面図である。
【図３】図２の領域ＩＩＩの周辺をさらに拡大して示す断面図である。
【図４】本発明の吸収性物品の別の好ましい形態としての生理用ナプキンを模式的に示す平面図である。
【図５】図４に示すＶ−Ｖ線断面を示す拡大断面図である。
【図６】吸収性物品の参考例の形態としての生理用ナプキンを模式的に示す平面図である。
【図７】図６に示すＶＩＩ−ＶＩＩ線断面を示す拡大断面図である。
【符号の説明】
【００３９】
１  表面シート
２  吸収体
２ａ  吸収体の外縁
２ｘ  吸収体の内部
３  防漏シート
４  吸収性本体
５  サイドシート
５ａ  サイドシート内側縁
５ｘ、５ｙ  サイドシート折返し部
６  第３エンボス列
６ａ  略Ｓ字型エンボス
６ｂ  中抜きエンボス
７、７２  第１エンボス列
７ａ、７２ａ  第１エンボス列を構成するエンボス
８、８３  第２エンボス列
８、８３ａ  第２エンボス列を構成するエンボス
１０、２０、３０  生理用ナプキン（吸収性物品）
１１  ウイング
１２  サイドシール
１３  エンドシール
２１  防漏構造をなす空間
２３  吸収性物品の側部の空洞
【図１】
0005013997.tif 000002
【図２】
0005013997.tif 000003
【図３】
0005013997.tif 000004
【図４】
0005013997.tif 000005
【図５】
0005013997.tif 000006
【図６】
0005013997.tif 000007
【図７】
0005013997.tif 000008